(57)【要約】【課題】一斉呼び出しの場合に担当者以外の業務が妨害されて作業効率を悪化させない構内用の緊急無線通知システムを提供する。【解決手段】装着者３００、３１０及び３２０の人体表面に接触する複数の無線通信端末３０１、３１１及び３２１と、無線通信端末３０１、３１１及び３２１との間で、所定の装置におけるイベント発生の通知が可能なマスター送受信機２００とを含み、各無線通信端末３０１、３１１及び３２１は、イベント発生を受信した場合に、当該イベントへの対応者として立候補した情報をマスター送受信機２００に送信できる入力手段を有し、マスター送受信機２００は、立候補した情報を受信した場合に、受信した認識コードに対応する無線通信端末３０１以外の全ての無線通信端末３１１及び３２１に向けて無線通信端末３０１の装着者３００が当該イベントの対応者として立候補したことを送信する。【選択図】図１
2017216588.tif 000002
【特許請求の範囲】
【請求項１】
個別に認識コードが付与されてマスター送受信機との間で無線送受信が可能であり、装着者の人体表面に少なくとも一部が直接に接触して装着される複数の携帯型人体接触無線通信端末と、
少なくとも一個以上の前記携帯型人体接触無線通信端末との間で、少なくとも所定の場所及び／又は所定の装置においてイベントが発生したことの通知と、前記各携帯型人体接触無線通信端末の個別の認識コードの無線送受信が可能なマスター送受信機と、
を少なくとも含み、
前記各携帯型人体接触無線通信端末は、前記マスター送受信機から前記イベントが発生したことの通知を受信した場合に、当該携帯型人体接触無線通信端末の装着者が当該イベントへの対応者として立候補した情報を前記認識コードと共に前記マスター送受信機に送信できる入力手段を少なくとも有し、
前記マスター送受信機は、前記立候補した情報と前記認識コードを受信した場合に、前記受信した認識コードに対応する携帯型人体接触無線通信端末以外の全ての携帯型人体接触無線通信端末に向けて、前記受信した認識コードに対応する携帯型人体接触無線通信端末の装着者が当該イベントへの対応者として立候補したことを送信する、
構内緊急無線通知システム。
【請求項２】
前記マスター送受信機には少なくとも一つのセンサーが接続され、
前記マスター送受信機は、前記センサーからイベントが発生したことを示す情報が入力した場合に、全ての携帯型人体接触無線通信端末に向けてイベントが発生したことを一斉通知する、
請求項１に記載の構内緊急無線通知システム。
【請求項３】
前記マスター送受信機は、前記立候補した情報と前記認識コードを受信した場合、当該認識コードの携帯型人体接触無線通信端末のみに向けて、前記センサーからの経過情報を送信する、
請求項２に記載の構内緊急無線通知システム。
【請求項４】
前記マスター送受信機には複数のセンサーが接続され、
前記マスター送受信機は、前記立候補した情報と前記認識コードを受信した場合、当該認識コードの携帯型人体接触無線通信端末のみに向けて、前記複数のセンサーからの情報を送信する、
請求項１〜３の何れか１項に記載の構内緊急無線通知システム。
【請求項５】
前記各携帯型人体接触無線通信端末には、前記マスター送受信機から前記イベントが発生したことの通知を受信した場合に、前記装着者の人体表面に物理的な刺激を与えて当該受信を通知することが可能な人体表面刺激部を有する、
請求項１〜４の何れか１項に記載の構内緊急無線通知システム。
【請求項６】
前記マスター送受信機には少なくとも一つの情報処理装置が接続され、
前記マスター送受信機は、受信した前記立候補した情報と前記認識コードを前記情報処理装置に送信し、
前記情報処理装置は、前記マスター送受信機を介して、前記受信した認識コードに対応する携帯型人体接触無線通信端末以外の全ての携帯型人体接触無線通信端末に対して、前記受信した認識コードに対応する携帯型人体接触無線通信端末の装着者が当該イベントへの対応者として立候補したことを、送信する、
請求項１〜５の何れか１項に記載の構内緊急無線通知システム。
【請求項７】
前記情報処理装置は、前記各センサからのイベントが発生したことを示す情報を発生日時及び当該イベントの処理記録と共に記憶する記憶手段を有し、前記発生したイベントの記録情報を、前記マスター送受信機を介して、前記受信した認識コードに対応する携帯型人体接触無線通信端末に向けて送信する、
請求項1〜６何れか1項に記載の構内緊急無線通知システム。
【請求項８】
前記マスター送受信機には、前記各携帯型人体接触無線通信端末から少なくとも一つの端末又はグループを装着者が選択できる入力手段を有する、
請求項1〜７何れか1項に記載の構内緊急無線通知システム。
【請求項９】
前記マスター送受信機には、前記所定の場所及び／又は所定の装置においてイベントが発生したことの通知を、装着者がマニュアル入力して前記各携帯型人体接触無線通信端末に送信できる入力手段を有する、
請求項1〜８何れか1項に記載の構内緊急無線通知システム。
【請求項１０】
請求項１〜９の構内緊急無線通知システムに用いる携帯型人体接触無線通信端末。
【発明の詳細な説明】
【技術分野】
【０００１】
本発明は、例えば住宅や工場等の建物／施設、あるいは敷地などの管轄範囲の内（以降、この範囲の内を構内と称する）で、所定の装置に異常事態等の緊急のイベントが発生した場合に、無線により、複数の人員中から、当該特定の装置の担当者又は担当グループに向けて緊急通知ができるシステム、及び、そのシステムに用いられる、当該複数の人員の身体に直接に接触して緊急通知が可能な無線通信装置に係る技術に関する。
【背景技術】
【０００２】
従来の工場等の大規模な施設の構内において、特定の装置や製造ラインにイベントが発生した場合は、例えば、当該特定の装置や製造ラインの近傍に設置された多色灯及び／又は回転灯等の光学通知手段、又は、ブザー／サイレン／警報等の音響通知手段により、その特定の装置や製造ラインにイベントが発生したことを、当該装置や製造ラインの担当者に通知していた。
【０００３】
また、従来の住宅や商店等の小規模の施設の構内では、来客のドアフォンやチャイム、電話／ＦＡＸの呼び出し装置、侵入者対策の防犯ベル、火災報知器、赤ちゃん／ペットの泣き声検出通知装置等の音響通知手段により、家主や従業員等に対して、呼び出しがあったことやイベントが発生したことを通知していた。
【０００４】
しかし、上記したような従来の構内におけるイベントの通知方法では、光学通知手段の場合は、その光学的な通知を担当者が見ていないことや見逃すことがあり、担当者への通知の到達率が低いという問題があった。また、音響通知手段の場合は、イベントが発生した特定の装置や製造ラインの位置がわかりづらく、担当者は自分の担当する装置やラインであるか否かを毎回確認する必要が有り、効率が悪く、余計な確認や担当者以外の業務が音響により妨害される等により損失が発生していた。さらに、音響通知手段の場合は、聴覚障害者にはイベントを通知することができなかった。
【０００５】
また、従来の構内における従来の無線通知システムの一例として、引用文献１では、構内にＰＨＳ（パーソナルハンディフォンシステム）を構内に構築して、構内におけるイベントが発生した場合の担当者の内線呼び出しや、外線電話が入電した場合の当該受電者の外線呼び出しを行う場合が開示されている。しかし、ＰＨＳは机の上に置いたり、鞄等に入れる場合も有り、この場合も、担当者への通知の到達率が低いという問題があった。
【０００６】
また、構内ではないが従来の無線通知システムの一例として、引用文献２では、無線放送局からの呼び出し無線信号を受信して、その呼び出し番号を含む応答信号を無線送信する携帯端末機と、その応答信号に自機の認識情報を重乗して有線回線に送出するシステムを開示している。しかし、放送局等の大規模なシステムを利用するので放送局との導入／使用契約や使用時間等の調整が必要であり、導入コストや維持コストが高くなっていた。
【０００７】
また、構内ではないが従来の別の無線通知システムの一例として、引用文献３では、携帯電話に着信した場合に、腕時計型端末に呼び出しを送信するシステムが開示されている。しかし、引用文献３では、携帯電話への着信を再送信する腕時計型端末なので、やはり携帯電話会社との回路網の使用許諾や使用バンド等の調整が必要であり、導入や維持費が高く、携帯電話からの到達距離が限られているので構内のシステムとしての使用は困難である。
【０００８】
また、構内ではないが従来のさらに別の無線通知システムの一例として、引用文献４では、身体に無線通信機を装着した人にイベントが発生した場合に、近くの全ての携帯電話に同報通知するシステムを開示している。この引用文献４の場合も、携帯電話の回路網を利用するので、その使用許諾や使用バンド等の調整が必要であり、導入や維持費が高く、構内のシステムとしての使用は困難である。
【０００９】
また、構内ではないが従来のまたさらに別の無線通知システムの一例として、引用文献５では、携帯電話への着信元の表示に基づいて、各着信元に対応した色の発行ダイオードを選択的に発行させるシステムが開示されている。この引用文献５の場合も、携帯電話の回路網を利用するので、その使用許諾や使用バンド等の調整が必要であり、導入や維持費が高く、携帯電話からの到達距離が限られているので構内のシステムとしての使用は困難である。
【００１０】
本願発明の発明者は、上記した各種の問題を解決するために、携帯電話の回路網を利用しないで、例えば特定小電力無線を利用して、構内用の、聴覚障害者を含む複数の使用者から選択した特定の使用者のみに振動と文字によりイベントを通知可能な緊急無線通知システム、及び、そのシステムに用いるための、装着者の人体に接触して、振動と文字でイベントを装着者のみに通知できる腕時計型の無線受信端末、さらにその緊急無線通知を特定の又は全ての無線受信端末に送信するマスター送信機を発明した。これにより、イベントが発生した製造装置等の担当者がわかっている場合の個別呼び出しと、担当者が不明である場合の一斉呼び出しが可能になる。また、この発明により、担当者への通知の到達率が高く、イベントが発生位置がわかりやすく位置の確認が容易で、担当者以外の業務が妨害されないシステムを提供できる。さらに、この発明は、システムの導入時に回路網や放送局との使用契約が不要であり、回路網や放送の使用時間等の調整や使用時間毎の使用量や維持費の支払いを不要にできるシステムを提供できる。
【先行技術文献】
【特許文献】
【００１１】
【特許文献１】特開平１１−２９８６０９号公報
【特許文献２】特開平１０−３０４４３５号公報
【特許文献３】特開２００２−８４５７５号公報
【特許文献４】特開２００７−２６６７５６号公報
【特許文献５】特開２０１４−３９１９６号公報
【発明の概要】
【発明が解決しようとする課題】
【００１２】
しかしながら、発明者による従来の構内用の緊急無線通知システムの発明では、そのシステムに用いる腕時計型の端末が、マスター送信機からの通知を受信するのみの受信専用装置であったので、担当者がわかっている場合の個別呼び出し時には他の人には通知されないので問題無いが、担当者が不明である場合の一斉呼び出しでは、担当者以外の従業員も呼び出しを受けて、受信内容から自分の担当する装置に異常が発生したか否かを確認する必要が有り、担当者以外の業務が妨害されて作業効率を悪化させていた。
【００１３】
又、１台の装置に複数の担当者が任命されている場合には、複数の担当者のうちの他の担当者が先にイベントの発生した製造装置のところへ行った場合には、複数の担当者の１人である自分は、その装置の所へ行く必要が無い場合が多く、現場で過剰な担当人員が集合して作業人員と作業コストを増加させることがあり、また担当者の現在の業務が重要度の高い業務や、途中で中止するのが困難な業務の場合の損失が大きくなり、業務の効率を犠牲にする
【００１４】
本発明は、上記問題点に鑑みてなされたものであり、構内用の緊急無線通知システムに用いる腕時計型の装置が、マスター送受信機からの通知を受信するのみでなく、担当者が自分の担当する装置でイベントが発生したことを知った場合に自分がイベントの処理を担当すること（すなわちイベント処理の対応者として立候補したこと）を送信して他の腕時計型の装置に衆知できるので、個別呼び出しの場合に限らず、一斉呼び出しの場合も、担当者以外の業務が妨害されて作業効率を悪化させない構内用の緊急無線通知システムを提供することを目的とする。
【課題を解決するための手段】
【００１５】
上記目的を達成するために、本発明の構内緊急無線通知システムは、個別に認識コードが付与されてマスター送受信機との間で無線送受信が可能であり、装着者の人体表面に少なくとも一部が直接に接触して装着される複数の携帯型人体接触無線通信端末と、少なくとも一個以上の携帯型人体接触無線通信端末との間で、少なくとも所定の場所及び／又は所定の装置においてイベントが発生したことの通知と、各携帯型人体接触無線通信端末の個別の認識コードの無線送受信が可能なマスター送受信機と、を少なくとも含み、各携帯型人体接触無線通信端末は、マスター送受信機からイベントが発生したことの通知を受信した場合に、当該携帯型人体接触無線通信端末の装着者が当該イベントへの対応者として立候補した情報を認識コードと共にマスター送受信機に送信できる入力手段を少なくとも有し、マスター送受信機は、立候補した情報と認識コードを受信した場合に、受信した認識コードに対応する携帯型人体接触無線通信端末以外の全ての携帯型人体接触無線通信端末に向けて、受信した認識コードに対応する携帯型人体接触無線通信端末の装着者が当該イベントへの対応者として立候補したことを送信する。
【００１６】
好ましくは、本発明の構内緊急無線通知システムは、マスター送受信機には少なくとも一つのセンサーが接続され、マスター送受信機は、センサーからイベントが発生したことを示す情報が入力した場合に、全ての携帯型人体接触無線通信端末に向けてイベントが発生したことを一斉通知するようにするとよい。
【００１７】
好ましくは、本発明の構内緊急無線通知システムは、マスター送受信機は、立候補した情報と認識コードを受信した場合、当該認識コードの携帯型人体接触無線通信端末のみに向けて、センサーからの経過情報を送信するようにするとよい。
【００１８】
好ましくは、本発明の構内緊急無線通知システムは、マスター送受信機には複数のセンサーが接続され、マスター送受信機は、立候補した情報と認識コードを受信した場合、当該認識コードの携帯型人体接触無線通信端末のみに向けて、複数のセンサーからの情報を送信するようにするとよい。
【００１９】
好ましくは、本発明の構内緊急無線通知システムは、各携帯型人体接触無線通信端末には、マスター送受信機からイベントが発生したことの通知を受信した場合に、装着者の人体表面に物理的な刺激を与えて当該受信を通知することが可能な人体表面刺激部を有するようにするとよい。
【００２０】
好ましくは、本発明の構内緊急無線通知システムは、マスター送受信機には少なくとも一つの情報処理装置が接続され、マスター送受信機は、受信した立候補した情報と認識コードを情報処理装置に送信し、情報処理装置は、マスター送受信機を介して、受信した認識コードに対応する携帯型人体接触無線通信端末以外の全ての携帯型人体接触無線通信端末に対して、受信した認識コードに対応する携帯型人体接触無線通信端末の装着者が当該イベントへの対応者として立候補したことを、送信するようにするとよい。
【００２１】
好ましくは、本発明の構内緊急無線通知システムは、情報処理装置は、各センサからのイベントが発生したことを示す情報を発生日時及び当該イベントの処理記録と共に記憶する記憶手段を有し、発生したイベントの記録情報を、マスター送受信機を介して、受信した認識コードに対応する携帯型人体接触無線通信端末に向けて送信するようにするとよい。
【００２２】
好ましくは、本発明の構内緊急無線通知システムは、マスター送受信機には、各携帯型人体接触無線通信端末から少なくとも一つの端末又はグループを装着者が選択できる入力手段を有するようにするとよい。
【００２３】
好ましくは、本発明の構内緊急無線通知システムは、マスター送受信機には、所定の場所及び／又は所定の装置においてイベントが発生したことの通知を、装着者がマニュアル入力して各携帯型人体接触無線通信端末に送信できる入力手段を有するようにするとよい。
【発明の効果】
【００２４】
本発明の構内緊急無線通知システムでは、構内用の緊急無線通知システムに用いる腕時計型の装置が、マスター送受信機からの通知を受信するのみでなく、担当者が自分の担当する装置でイベントが発生したことを知った場合に自分がイベントの処理を担当すること（すなわちイベント処理の対応者として立候補したこと）を送信して他の腕時計型の装置に衆知できるので、個別呼び出しの場合に限らず、一斉呼び出しの場合も、担当者以外の業務が妨害されて作業効率を悪化させない構内用の緊急無線通知システムを提供することができる。
【図面の簡単な説明】
【００２５】
【図１】（ａ）〜（ｃ）は本発明の第１の実施形態の構内緊急無線通知システムに係る概略のシステム構成を示す図であり、（ａ）がシステム概要図、（ｂ）がマスター送信機外観図、（ｃ）が携帯型人体接触無線通信端末の外観図である。
【図２】（ａ）は本発明の第１の実施形態の構内緊急無線通知システム内のマスター送信機の概略内部構成を示すブロック図であり、（ｂ）は本発明の第１の実施形態の構内緊急無線通知システム内の携帯型人体接触無線通信端末の概略内部構成を示すブロック図である。
【図３】本発明の第１の実施形態の構内緊急無線通知システムに係る動作フローチャートである。
【図４】（ａ）、（ｂ）は本発明の第２の実施形態の構内緊急無線通知システムに係る概略のシステム構成を示す図であり、（ａ）がシステム概要図、（ｂ）が情報処理装置の概略内部構成を示すブロック図である。
【図５】本発明の第２の実施形態の構内緊急無線通知システムに係る動作フローチャートである。
【発明を実施するための形態】
【００２６】
＜第１実施形態＞
以下、本発明に係る第１の実施形態の構内緊急無線通知システムについて、図１〜図３を参照しつつ説明する。
【００２７】
説明をより身近な例としてわかりやすくするために、図１（ａ）において、例えば、構内１を工場とし、構内１内の装置１０を製造装置とする。センサ１００は、装置１０上又は近傍に設置され、マスター送受信機２００に例えば汎用の接続ケーブルにより通信接続され、装置１０の動作不良又は装置１０で製造する製品の不良等の測定データ又は異常事態が発生したこと（イベント）を検出する。センサ１００の例としては、製造装置で製造される製品により異なるが、温度や質量等の物理量を測定して測定データを出力する単純な機能素子としてのセンサに限らず、例えば、演算処理部と記憶部を有して測定データの値が所定のしきい値以上であるか否かを判断して、測定値が規定範囲内であるか或いは規定範囲外の異常値であるかを出力するような複雑な処理機能を有するセンサであってもよい。さらに例えば、撮像素子（カメラ）により製品を撮影した画像から演算素子等により測定対象の形状／寸法や色彩の相違を検出したり、サンプル画像と相違する誤差の量を検出するようなさらに高度に複雑な処理を実施するセンサであっても良い。
【００２８】
また、センサ１００は、検出したイベントを図１（ｂ）と図２（ａ）に示したようなマスター送受信機２００に送信する。マスター送受信機２００は、センサ１００からイベントが発生したことを受信した場合、図１（ｃ）と図２（ｂ）に示したように全ての携帯型人体接触無線通信端末３０１、３１１及び３２１に向けて、そのイベントが発生したことと、イベントが発生した装置１０を認識コード（認識可能であるＩＤコード又は認識可能である設置位置コード等）のデータを一斉送信する。
【００２９】
全ての携帯型人体接触無線通信端末３０１、３１１及び３２１は、例えば、図１（ａ）及び図１（ｃ）に示したように外形が腕時計形状であり、装着者３００、３１０及び３２０の腕（人体の表面）に直接に装着される。マスター送受信機２００からデータを受信したら、装置１０の認識コードをメニュー／入出力表示部３６０に表示させると共に、人体表面刺激部３８０を駆動して装着者３００、３１０及び３２０の人体表面（腕の皮膚）に刺激を与える。人体表面刺激部３８０は、例えば、携帯電話やスマートホンに使用されているバイブレータであっても良い。
【００３０】
携帯型人体接触無線通信端末３０１、３１１及び３２１は、例えば、騒音の大きい工場内労働者用や聴覚障害者の方用としては、図１（ａ）及び図１（ｃ）に示したように腕時計型にして、バイブレータで装着者の皮膚に刺激を与えて気付かせ、メニュー／入出力表示部３６０にイベントの内容を表示させることが有効と考えられるが、それに限られない。例えば、眼鏡フレーム型で片目の前方の一部に表示部とカメラを設け、ツルの部分には骨伝導スピーカーとタッチセンサを内蔵させ、イヤホンも接続可能で、携帯機器と近距離無線で通信接続された眼鏡型表示デバイスが知られている。そのような眼鏡型表示デバイスも、無線部を携帯機器との近距離無線通信からマスター送受信機との特定小電力通信等に変更することで、騒音の大きい工場内労働者用や聴覚障害者の方用の本実施形態の携帯型人体接触無線通信端末として機能させることができる。
【００３１】
また、別の携帯型人体接触無線通信端末の例として、携帯機器と近距離無線で通信接続されたヘッドホン型デバイス（音響再生デバイス）も知られている。そのようなヘッドホン型デバイスの場合も、無線部を携帯機器との近距離無線通信からマスター送受信機との特定小電力通信等に変更することで、例えば、視覚障害者の方用の本実施形態の携帯型人体接触無線通信端末として機能させることができる。
【００３２】
マスター送受信機２００は、図1（ｂ）及び図２（ａ）に一例として示したように無線アンテナ２０５、有線通信接続部２１０、有線通信インターフェース部２２０、記憶部２３０、無線通信インターフェース部２４０、親機側無線通信部２５０、送信／受信表示部２６０、指示入力部（送信ボタン）２７０、送信先選択部２８０及び制御部２９０を有している。
【００３３】
装置１０で発生したイベントを自動で送信する自動モードの場合、センサ１００からの検出データは、例えば、有線通信接続部２１０に入力し、有線通信インターフェース部２２０で処理可能なデータに変換され、制御部２９０により、検出されたデータが異常状態等のイベントを示す場合は、そのイベントの内容を装置１０の認識コードと共に無線通信インターフェース部２４０を経由して親機側無線通信部２５０で変調されて無線アンテナ２０５から、全ての携帯型人体接触無線通信端末３０１、３１１及び３２１に一斉送信する。
【００３４】
センサ１００からの検出データが、単純に測定値のみのデータである場合は、例えば、制御部２９０がその測定値を記憶部２３０内の通常値又はしきい値等と比較し、その通常値又はしきい値以上であれば異常値であると判定され、このようにして異常事態が発生したというイベントを制御部２９０で検出することができる。その後のイベントの送信は上記と同様である。
【００３５】
装置１０で発生したイベントを製造ラインの人員等が手動（マニュアル）で送信するマニュアルモードの場合、異常事態が発生すると、例えば、製造ラインの人員が指示入力部（送信ボタン）２７０を押す。すると送信／受信表示部２６０で送信されることが表示され、異常事態が発生したというイベントを、無線通信インターフェース部２４０を経由して親機側無線通信部２５０で変調されて無線アンテナ２０５から、全ての携帯型人体接触無線通信端末３０１、３１１及び３２１に一斉送信する。
【００３６】
また、送信先選択部２８０を使用して送信先を決定する場合、（１）全ての携帯型人体接触無線通信端末３０１、３１１及び３２１に一斉送信するか、（２）個別に携帯型人体接触無線通信端末３０１、３１１及び３２１の何れかに送信するか、（３）全ての携帯型人体接触無線通信端末３０１、３１１及び３２１をグループ分けして、例えば、３０１及び３１１のグループに送信するか、３１１及び３２１のグループに送信するか、あるいは、３０１及び３２１のグループの何れかのグループに送信するかを、例えばボタンの押した回数等により選択することができる。
【００３７】
携帯型人体接触無線通信端末３０１、３１１及び３２１については、全て同じ仕様であるので代表して携帯型人体接触無線通信端末３０１（装着者３００）について説明する。携帯型人体接触無線通信端末３０１は、図1（ｃ）及び図２（ｂ）に一例として示したように無線アンテナ３０５、記憶部３３０、無線通信インターフェース部３４０、端末（子機）側無線通信部３５０、メニュー／入出力表示部３６０、選択／応答入力部３７０、メニュー入力部３７２、アップ入力部３７４、ダウン入力部３７６、人体表面刺激部３８０、音響出力部３８５及び制御部３９０を有している。
【００３８】
マスター送受信機２００側が自動モードでイベントの発生データが送信されたか、あるいはマニュアルモードでイベントの発生データが送信されたかに拘わらず、イベントの発生データは、無線アンテナ３０５から無線通信インターフェース部３４０を経由して端末（子機）側無線通信部３５０で復調されて記憶部３３０に記憶されると共に制御部３９０に入力される。すると制御部３９０は、受信したイベントの発生データから装置１０の認識コードを判別し、装置１０の認識コード（認識可能であるＩＤコード又は認識可能である設置位置コード等）又は記憶部３３０に格納されている装置１０の名称又は位置等をメニュー／入出力表示部３６０に表示し、それと共に、人体表面刺激部３８０を駆動し、振動（バイブレーション）等により装着者３００にイベントの発生を通知する。また、周囲の人員の作業効率低下を無視することができる環境であり、装着者３００が聴力健常者であれば、音響出力部３８５から音響（ビープ音等）を発生させ、より確実に通知するように設定することができる。
【００３９】
装着者３００は、人体表面刺激部３８０又は音響出力部３８５によりイベントの発生に気付いた場合、メニュー／入出力表示部３６０を確認して、イベントの発生した装置１０が自分の担当する装置であるか否かを判断し、自分の担当する装置である場合には、選択／応答入力部３７０を押して、自分がイベントの発生した装置１０の処理（異常を回復させる処理）を担当することを立候補する。
【００４０】
制御部３９０は、選択／応答入力部３７０から応答入力があった場合、記憶部３３０にその応答入力を記録すると共に、記憶部３３０から装着者又は自端末の認識コード（認識可能であるＩＤコード等）を読み出し（この場合記憶部３３０には予め認識コードを格納しておく）、無線通信インターフェース部３４０を経由して端末（子機）側無線通信部３５０及び無線アンテナ３０５から、装着者３００（携帯型人体接触無線通信端末３０１の使用者）がイベント処理の対応者として立候補したことをマスター送受信機２００に向けて送信する。
【００４１】
マスター送受信機２００の制御部２９０は、イベント処理の対応者として立候補した認識コードを受信し、その受信した認識コードを、記憶部２３０内にある全員（全端末）の認識コードと比較し、受信した認識コード以外の携帯型人体接触無線通信端末３０１に対しては、受信した認識コードを転送することで、装着者３００（携帯型人体接触無線通信端末３０１の使用者）がイベント処理の対応者として立候補したこと（例えば対応者氏名等）を携帯型人体接触無線通信端末３１１及び３２１に表示させ、該当しない装着者３１０又は３２０等はイベントの処理に参加する必要が無いことを通知する。一方、受信した認識コードの携帯型人体接触無線通信端末３０１に対しては、対応者に指定されたことの表示と、センサ１００からの装置１０についてのその後の経過情報等を送信して携帯型人体接触無線通信端末３０１に表示させ、イベントの処理に役立てるようにすることができる。
【００４２】
その後、イベント処理の対応者として装着者３００（携帯型人体接触無線通信端末３０１の使用者）がイベント処理を終了すると（例えば、装置１０の異常を解消させると）、装着者３００は、例えば、選択／応答入力部３７０を再度押す。
【００４３】
すると、制御部３９０は、選択／応答入力部３７０から応答入力があった場合、記憶部３３０から選択／応答入力部３７０から応答入力の記録を読み出して２回目であることを判断し、この応答入力がイベント処理の終了（例えば、装置１０の異常を解消させた）を意味すると判断する。その結果、制御部３９０は、携帯型人体接触無線通信端末３０１のメニュー／入出力表示部３６０をリセットし、マスター送受信機２００（可能であれば他の携帯型人体接触無線通信端末３１１及び３２１にも）に向けて、イベント処理の終了通知またはリセット通知を送信する。
【００４４】
また、選択／応答入力部３７０を押す入力のみでは、２回目が誤入力される可能性が有る。そのような誤入力を避けるためと、例えば、現状すぐには手が離せないため等で、できれば後で現場に行きたい場合や、今回はなるべく他の担当者に先に行って欲しい場合等のように入力の選択肢を多様化させるために、メニュー入力部３７２によりメニュー／入出力表示部３６０にメニューを表示させ、アップ入力部３７４とダウン入力部３７６でカーソルを移動させ、選択／応答入力部３７０でメニューから選んでマスター送受信機２００に向けて、イベント処理の終了通知またはリセット通知を送信することも可能である。
【００４５】
イベント処理の終了通知またはリセット通知を受信したマスター送受信機２００は、自装置をリセットすると共に、必要に応じて、携帯型人体接触無線通信端末３１１及び３２１に向けて、イベント処理の終了通知またはリセット通知を送信し、携帯型人体接触無線通信端末３１１及び３２１のメニュー／入出力表示部３６０の表示灯をリセットさせる。
【００４６】
次に図３の動作フローチャートを用いて、本発明に係る第１の実施形態の構内緊急無線通知システムの動作について説明する。まず、上記したマスター送受信機２００では、センサ１００からのイベント発生を示す（又は異常を示す）データを待ち受ける（ステップＳ１）。受信しない場合（ステップＳ１：ＮＯ）は再びステップＳ１で待ち受ける。受信した場合（ステップＳ１：ＹＥＳ）は、制御部２９０が、プログラムに従い記憶部２３０にイベント発生を示す（又は異常を示す）データを格納すると共に、記憶部２３０内の宛先データ及びイベント発生を示すデータ等を読み出して、無線通信インターフェース部２４０を介して親機側無線通信部２５０から、全ての携帯型人体接触無線通信端末３０１、３１１および３２１に向けて、イベント発生を示すデータを送信する（ステップＳ２）。
【００４７】
全ての携帯型人体接触無線通信端末３０１、３１１および３２１では、イベント発生を示すデータを受信する（ステップＳ３）。受信したら制御部３９０が、プログラムに従い記憶部３３０にイベント発生を示すデータを格納すると共に、記憶部３３０内の各種設定及びイベント発生を示すデータ等を読み出して、メニュー／入出力表示部３６０にイベントが発生した装置１０の認識コード（認識可能であるＩＤコード又は認識可能である設置位置コード等）又は記憶部３３０に格納されている装置１０の名称又は位置等を表示し、それと共に、人体表面刺激部３８０を駆動し、振動（バイブレーション）等により装着者３００、３１０及び３２０にイベントの発生を装着者に通知し（ステップＳ４）、選択／応答入力部３７０の応答入力があるか否かを待ち受ける（ステップＳ５）。
【００４８】
応答入力がない場合（ステップＳ５：ＮＯ）は再びステップＳ５をくりかえし待ち受ける。例えば、携帯型人体接触無線通信端末３０１の使用者である装着者３００が選択／応答入力部３７０を押して、応答入力があった場合（ステップＳ５：ＹＥＳ）は、携帯型人体接触無線通信端末３０１の制御部３９０が、プログラムに従い記憶部２３０内のマスター送受信機２００の宛先データデータ及び担当者に立候補した場合のデータ等を読み出して、無線通信インターフェース部３４０を介して無線通信インターフェース部３４０を経由して端末（子機）側無線通信部３５０及び無線アンテナ３０５から、装着者３００がイベント処理の対応者として立候補したことのデータを認識コードと共にマスター送受信機２００に向けて送信する（ステップＳ６）。その他の携帯型人体接触無線通信端末３１１および３２１ではステップＳ５の待ち受けが続けられる。
【００４９】
マスター送受信機２００では、全ての携帯型人体接触無線通信端末３０１、３１１および３２１からのイベント処理の対応者としての立候補データ等を待ち受ける（ステップＳ７）。受信しない場合（ステップＳ７：ＮＯ）は再びステップＳ７をくりかえし待ち受ける。携帯型人体接触無線通信端末３０１からの立候補データ等を最先のデータとして受信した場合（ステップＳ７：ＹＥＳ）は、制御部２９０が、プログラムに従い記憶部２３０に当該立候補データと認識コード等を格納すると共に、最先に受信した携帯型人体接触無線通信端末３０１の認識コードを記憶部２３０から検出し（ステップＳ８）、さらに記憶部２３０内の受信しなかったか最先ではなかった携帯型人体接触無線通信端末３１１および３２１の宛先データ等を読み出して、無線通信インターフェース部２４０を介して親機側無線通信部２５０から、受信しなかったか最先ではなかった携帯型人体接触無線通信端末３１１および３２１に向けて、携帯型人体接触無線通信端末３０１の装着者３００がイベント処理の対応者として立候補し決定したことを示すデータ及び認識コードを送信する（ステップＳ９）。
【００５０】
マスター送受信機２００では、その後もセンサ１００からの追加データ（測定値の変化等）を待ち受け（ステップＳ１０）、追加データが有る場合には（ステップＳ１０：ＹＥＳ）、その追加情報を担当者に決定した装着者３００の携帯型人体接触無線通信端末３０１に送信する（ステップＳ１１）。追加データが無い場合には（ステップＳ１０：ＮＯ）、ステップＳ１２のイベントが終了したか否かを待ち受ける判断に進む。
【００５１】
携帯型人体接触無線通信端末３０１では、装着者３００がイベント処理の対応者として決定したことを示すデータ及び認識コードを受信すると、制御部３９０はプログラムに従い記憶部３３０内に格納されたデータを参照して受信した認識コードが自端末の認識コードと一致するかを判断する（ステップＳ１４）。
【００５２】
受信した認識コードが自端末の認識コードと一致しない場合（ステップＳ１４：ＮＯ）には、（例えば携帯型人体接触無線通信端末３１１および３２１の）制御部３９０は、その携帯型人体接触無線通信端末３１１および３２１のメニュー／入出力表示部３６０に記憶部３３０内に格納されたデータを用いて装着者３００の名称を表示し（ステップＳ１４）、ステップＳ１２のイベントが終了したか否かを待ち受ける判断に進む。
【００５３】
受信した認識コードが自端末の認識コードと一致する場合（ステップＳ１４：ＹＥＳ）には、（例えば携帯型人体接触無線通信端末３０１の）制御部３９０は、マスター送受信機２００からの追加情報を待ち受ける（ステップＳ１６）。追加情報がない場合（ステップＳ１６：ＮＯ）には、その携帯型人体接触無線通信端末３０１の制御部３９０は、（例えば携帯型人体接触無線通信端末３０１の）メニュー／入出力表示部３６０に、記憶部３３０内に格納されたデータを用いて自装着者３００の名称を表示し（ステップＳ１７）、ステップＳ１２のイベントが終了したか否かを待ち受ける判断に進む。
【００５４】
追加情報がある場合（ステップＳ１６：ＹＥＳ）には、その携帯型人体接触無線通信端末３０１の制御部３９０は、その携帯型人体接触無線通信端末３０１のメニュー／入出力表示部３６０に、マスター送受信機２００から受信した追加情報を表示し（ステップＳ１８）、ステップＳ１９のイベントが終了したか否かを待ち受ける判断に進む。
【００５５】
その後、イベント処理の対応者として装着者３００（携帯型人体接触無線通信端末３０１の使用者）がイベント処理を終了すると（例えば、装置１０の異常を解消させると）、装着者３００は、選択／応答入力部３７０を再度押すので、携帯型人体接触無線通信端末３０１の制御部３９０は、装着者３００によるイベントの処理が終了して、選択／応答入力部３７０を再度押されるのを待ち受ける（ステップＳ１９）。選択／応答入力部３７０を再度押されない場合は（ステップＳ１９：ＮＯ）、制御部３９０は、再びステップＳ１９で選択／応答入力部３７０を再度押されるのを待ち受ける。選択／応答入力部３７０が再度押された場合は（ステップＳ１９：ＹＥＳ）、制御部３９０は、マスター送受信機２００に向けて、選択／応答入力部３７０が再度押されて処理が終了したことを送信し、ステップＳ１２のイベントが終了したか否かを待ち受ける判断に進む。
【００５６】
マスター送受信機２００の制御部２９０は、携帯型人体接触無線通信端末３０１からの選択／応答入力部３７０が再度押されて処理が終了したことを受信するのを待ち受ける（ステップＳ１２）。マスター送受信機２００の制御部２９０は、携帯型人体接触無線通信端末３０１から処理が終了したことを受信しない場合（ステップＳ１２：ＮＯ）には、ステップＳ１０に戻って、センサ１００から追加情報が入力していないかを確認する。携帯型人体接触無線通信端末３０１から処理が終了したことを受信した場合（ステップＳ１２：ＹＥＳ）には、マスター送受信機２００の記憶部２３０に格納された今回のイベントに関する記録や設定をリセットし（ステップＳ１３）、それと共に全ての携帯型人体接触無線通信端末３０１、３１１および３２１に向けてリセット信号を出力してリセットさせ（ステップＳ２０）、ステップＳ１に戻る。
【００５７】
このように本実施形態の構内緊急無線通知システムでは、構内用の緊急無線通知システムに用いる腕時計型の装置（携帯型人体接触無線通信端末３０１、３１１および３２１）が、マスター送受信機２００からの通知を受信するのみでなく、担当者が自分の担当する装置でイベントが発生したことを知った場合に自分がイベントの処理を担当すること（すなわちイベント処理の対応者として立候補したこと）を送信して他の腕時計型の装置に衆知でき、さらにイベント処理の終了も他の腕時計型の装置に衆知できるので、個別呼び出しの場合に限らず、一斉呼び出しの場合も、担当者以外の業務が妨害されて作業効率を悪化させない構内用の緊急無線通知システムを提供することができる。
【００５８】
＜第２実施形態＞
以下、本発明に係る第２の実施形態の構内緊急無線通知システムについて、図４〜図５を参照しつつ説明する。
【００５９】
図４（ａ）は、図１（ａ）のセンサ１００とマスター送受信機２００との間に情報処理装置４００と記憶手段４５０が接続されている点で異なり、他の点は図１（ａ）の第１の実施形態の構内緊急無線通知システムと同様である。
【００６０】
情報処理装置４００は、センサ１００とマスター送受信機２００と記憶手段４５０に接続される。情報処理装置４００は、例えば、ＣＰＵ（中央演算素子）やマイクロプロセッサ等を備えるコンピュータやサーバ等であり、センサ１００からの測定データ等の入力から、記憶手段４５０の格納データを参照して異常事態等のイベントを検出し、イベントが発生したことをマスター送受信機２００を介して全ての携帯型人体接触無線通信端末３０１、３１１および３２１に送信する。第１実施形態のセンサ１００とマスター送受信機２００との間に第２実施形態では情報処理装置４００を介する構成によるメリットは、プログラムやデータの記憶能力と演算能力（処理能力）が向上するので、より複雑な判断を高速で行うことができ、必要に応じて、画面に現状等を表示して現場の作業者に現状を理解させるために表示したり、選択肢等を表示して現状に最も良い選択肢を選択させたりできることである。記憶手段４５０は、例えば、外付けのハードディスク記憶装置でも半導体メモリドライブでもよい。
【００６１】
図４（ｂ）は、情報処理装置４００内のハードウェア構成の一例を示す図である。
なお、以下に説明する情報処理装置４００の内部構成ブロックは、一般的なコンピュータの一例を示すものであり、同様な機能を有する情報処理装置であれば他の構成であってもよい。例えば、本実施形態の情報処理装置４００は、内蔵するか読み込まれた各種のオペレーティングシステム（ＯＳ）で動作することができ、さらに目的の動作をするようにプログラムされた各種アプリケーション又は各種ソフトウェア等をハードディスク又は記憶手段等に読み込むことにより、本実施形態に示したような所定の動作をすることができる。
【００６２】
情報処理装置４００は、主コントローラ４１１により相互に接続されるＣＰＵ４０１、ＲＡＭ４０３、グラフィック・コントローラ４０９、及び表示装置４１０を有するＣＰＵ周辺部と、入出力（Ｉ／Ｏ）コントローラ４１２により主コントローラ４１１に接続される通信インターフェイス（Ｉ／Ｆ）４０４、ハードディスク（ＨＤ）／半導体メモリドライブ（ＳＳＤ）４０５、及びＤＶＤ／ＣＤ−ＲＯＭドライブ４０７を有する入出力部と、入出力コントローラ４１２に接続されるＲＯＭ４０２、及び外部装置接続部４０６を有する入出力部とを備える。
【００６３】
主コントローラ４１１は、ＲＡＭ４０３と、高い転送レートでＲＡＭ４０３をアクセスするＣＰＵ４０１、及びグラフィック・コントローラ４０９とを接続する。ＣＰＵ４０１は、ＲＯＭ４０２、及びＲＡＭ４０３に格納されたプログラムに基づいて動作し、各部の制御を行う。グラフィック・コントローラ４０９は、ＣＰＵ４０１等がＲＡＭ４０３内に設けたフレーム・バッファ上に生成する画像データを取得し、表示装置４１０上に表示させる。これに代えて、グラフィック・コントローラ４０９は、ＣＰＵ４０１等が生成する画像データを格納するフレーム・バッファを、内部に含んでもよい。
【００６４】
入出力コントローラ４１２は、主コントローラ４１１と、比較的高速な入出力装置であるハードディスク／半導体メモリドライブ４０５、通信インターフェイス４０４、ＤＶＤ／ＣＤ−ＲＯＭドライブ４０７を接続する。ハードディスク／半導体メモリドライブ４０５は、ＣＰＵ４０１が使用するプログラム、及びデータを格納する。通信インターフェイス４０４は、ネットワーク通信装置１５９８に接続してプログラムまたはデータを送受信する。ＤＶＤ／ＣＤ−ＲＯＭドライブ４０７は、ＣＤ−ＲＯＭ１６０からプログラムまたはデータを読み取り、ＲＡＭ４０３を介してハードディスク／半導体メモリドライブ４０５、及び通信インターフェイス４０４に提供する。
【００６５】
また、入出力コントローラ４１２には、ＲＯＭ４０２、及び外部装置接続部４０６の比較的低速な入出力装置とが接続される。ＲＯＭ４０２は、情報処理装置４００が起動時に実行するブート・プログラムや、情報処理装置４００のハードウェアに依存するプログラム等を格納する。外部装置接続部４０６は、センサ１００からの入力、マスター送受信機２００との送受信のデータをＲＡＭ４０３を介してハードディスク／半導体メモリドライブ４０５、及び通信インターフェイス４０４に提供する。
【００６６】
ＣＰＵ４０１が実行するプログラムは、外付けハードディスク、メモリーカード、メモリースティック等の着脱可能な記録媒体である記憶手段４５０に格納されて利用者によって提供されてもよい。記憶手段４５０に格納されたプログラムは圧縮されていても非圧縮であってもよい。プログラムは、記憶手段４５０からハードディスク／半導体メモリドライブ４０５にインストールされ、ＲＡＭ４０３に読み出されてＣＰＵ４０１により実行される。
【００６７】
以上に示したプログラムは、外部の記憶媒体に格納されてもよい。記憶媒体としては、フレキシブルディスク、ＤＶＤ／ＣＤ−ＲＯＭの他に、ブルーレイ等の光学記録媒体、光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介して情報処理装置４００に提供してもよい。
【００６８】
次に図５の動作フローチャートを用いて、本発明に係る第２の実施形態の構内緊急無線通知システムの動作について説明する。まず、上記した情報処理装置４００では、センサ１００からのイベント発生を示す（又は異常を示す）データを待ち受け、内蔵するか記憶手段４５０に格納されたプログラムに従い記憶手段４５０にイベント発生を示す（又は異常を示す）データを格納すると共に、記憶手段４５０内の測定データの基準値範囲を読み出して入力したデータ基準値範囲内であるか否か、則ち、異常な測定値等のイベントが発生したか否かの判断を行う（ステップＳ３１）。
【００６９】
測定データが基準値範囲内でイベントが発生していない場合（ステップＳ３１：ＮＯ）は再びステップＳ３１をくりかえし待ち受ける。測定データが基準値範囲内ではになくイベントが発生していた場合（ステップＳ３１：ＹＥＳ）は、プログラムに従い、全装着者の一斉呼び出しか、担当者個別又は担当者の関係グループの呼び出しかを判断する（ステップＳ３２）。ここでは、例えば、イベントの異常値等が基準値範囲から非常にかい離していて緊急性が高い異常が発生した場合等には、一斉呼び出しとして全装着者に注意を喚起すると共に担当者を呼び出すことができ（ステップＳ３２：ＹＥＳ）、イベントの異常値等が基準値範囲からそれほど離れていない場合には、一斉呼び出しする必要性がないので（ステップＳ３２：ＮＯ）担当者のみを個別呼び出しすることができる（ステップＳ３５）。あるいは、必要に応じて、表示装置４１０上に、装置１０の現状と現場作業員が選択可能な処理の選択肢を表示させて、現場作業員に一斉呼び出しか担当者の個別呼び出しかを選択させることも可能である。
【００７０】
一斉呼び出しする場合（ステップＳ３２：ＹＥＳ）には、情報処理装置４００がプログラムに従い記憶手段４５０から全ての装着者の携帯型人体接触無線通信端末３０１、３１１および３２１の送信宛先（認識コード等）を読み出して（ステップＳ３３）、全端末に向けてイベントが発生したことを送信する（ステップＳ３４）。
【００７１】
一斉呼び出ししない場合（ステップＳ３２：ＮＯ）には、情報処理装置４００がプログラムに従い記憶手段４５０から所定の装着者のみ（例えば装着者３００がイベント処理の対応者として登録されている場合）の携帯型人体接触無線通信端末３０１の送信宛先（認識コード等）を読み出して（ステップＳ３６）、その端末に向けてイベントが発生したことを送信する（ステップＳ３７）。
【００７２】
ステップＳ３４からのイベント発生を受けた全ての携帯型人体接触無線通信端末３０１、３１１および３２１、又は、ステップＳ３７からのイベント発生を受けた携帯型人体接触無線通信端末３０１では、イベント発生を示すデータを受信する（ステップＳ３８）。以下、ステップＳ３２の一斉呼び出しで携帯型人体接触無線通信端末３０１が担当者の端末とする。携帯型人体接触無線通信端末３０１、３１１および３２１の制御部３９０は、受信した場合にプログラムに従い記憶部３３０にイベント発生を示すデータを格納すると共に、記憶部３３０内の各種設定及びイベント発生を示すデータ等を読み出して、メニュー／入出力表示部３６０にイベントが発生した装置１０の認識コード（認識可能であるＩＤコード又は認識可能である設置位置コード等）又は記憶部３３０に格納されている装置１０の名称又は位置等を表示し、それと共に、人体表面刺激部３８０を駆動し、振動（バイブレーション）等により装着者３００、３１０及び３２０にイベントの発生を装着者に通知し（ステップＳ３９）、選択／応答入力部３７０の応答入力があるか否かを待ち受ける（ステップＳ４０）。
【００７３】
応答入力がない場合（ステップＳ４０：ＮＯ）は再びステップＳ４０をくりかえし待ち受ける。例えば、携帯型人体接触無線通信端末３０１の使用者である装着者３００が選択／応答入力部３７０を押して、応答入力があった場合（ステップＳ４０：ＹＥＳ）は、携帯型人体接触無線通信端末３０１の制御部３９０が、プログラムに従い記憶部２３０内のマスター送受信機２００の宛先データデータ及び担当者に立候補した場合のデータ等を読み出して、無線通信インターフェース部３４０を介して無線通信インターフェース部３４０を経由して端末（子機）側無線通信部３５０及び無線アンテナ３０５から、装着者３００がイベント処理の対応者として立候補したことのデータを認識コードと共にマスター送受信機２００に向けて送信する（ステップＳ４１）。
【００７４】
一方、ステップＳ３５の個別呼び出しで携帯型人体接触無線通信端末３０１が担当者の端末の場合も、同様に携帯型人体接触無線通信端末３０１の制御部３９０は、一斉呼び出しの場合と同様な処理を実施するが、人体表面刺激部３８０を駆動し、振動（バイブレーション）等により装着者３００のみにイベントの発生を装着者に通知し（ステップＳ３９）、選択／応答入力部３７０の応答入力があるか否かを待ち受ける（ステップＳ４０）。
【００７５】
そして応答入力がない場合（ステップＳ４０：ＮＯ）は再びステップＳ４０をくりかえし待ち受ける。例えば、携帯型人体接触無線通信端末３０１の使用者である装着者３００が選択／応答入力部３７０を押して、応答入力があった場合（ステップＳ４０：ＹＥＳ）は、携帯型人体接触無線通信端末３０１の制御部３９０が、一斉呼び出しの場合と同様な処理を実施して、装着者３００がイベント処理の対応者として立候補したことのデータを認識コードと共にマスター送受信機２００に向けて送信する（ステップＳ４１）。その他の携帯型人体接触無線通信端末３１１および３２１ではステップＳ４０の待ち受けが続けられる。
【００７６】
マスター送受信機２００では、ステップＳ３４で全ての携帯型人体接触無線通信端末３０１、３１１および３２１にイベントの発生を送信した場合、全ての携帯型人体接触無線通信端末３０１、３１１および３２１からのイベント処理の対応者としての立候補データ等を待ち受ける（ステップＳ４２）。受信しない場合（ステップＳ４２：ＮＯ）は再びステップＳ４２をくりかえし待ち受ける。携帯型人体接触無線通信端末３０１からの立候補データ等を最先のデータとして受信した場合（ステップＳ４２：ＹＥＳ）は、第１実施形態のステップＳ８〜Ｓ１２、Ｓ１４〜Ｓ１９と同様な処理を実施する。
【００７７】
その後、マスター送受信機２００の制御部２９０は、携帯型人体接触無線通信端末３０１から処理が終了したことを受信した場合（ステップＳ１２：ＹＥＳ）には、マスター送受信機２００の記憶部２３０に格納された今回のイベントに関する記録や設定をリセットし（ステップＳ４３）、それと共に全ての携帯型人体接触無線通信端末３０１、３１１および３２１に向けてリセット信号を出力してリセットさせ（ステップＳ４４）、ステップＳ３１に戻る。
【００７８】
このように本実施形態の構内緊急無線通知システムでも、構内用の緊急無線通知システムに用いる腕時計型の装置（携帯型人体接触無線通信端末３０１、３１１および３２１）が、マスター送受信機２００からの通知を受信するのみでなく、担当者が自分の担当する装置でイベントが発生したことを知った場合に自分がイベントの処理を担当すること（すなわちイベント処理の対応者として立候補したこと）を送信して他の腕時計型の装置に衆知でき、さらにイベント処理の終了も他の腕時計型の装置に衆知できるので、個別呼び出しの場合に限らず、一斉呼び出しの場合も、担当者以外の業務が妨害されて作業効率を悪化させない構内用の緊急無線通知システムを提供することができる。
【符号の説明】
【００７９】
１  構内（建物／施設あるいは敷地などの管轄範囲内）、
１０  装置（製造装置、出力装置等）、
１００  センサ、
２００  マスター送受信機、
２０５  無線アンテナ、
２１０  有線通信接続部、
２２０  有線通信インターフェース部、
２３０  記憶部、
２４０  無線通信インターフェース部、
２５０  親機側無線通信部、
２６０  送信／受信表示部、
２７０  指示入力部（送信ボタン）、
２８０  送信先選択部、
２９０  制御部、
３００、３１０、３２０  装着者（無線通信端末使用者）、
３０１、３１１、３２１  携帯型人体接触無線通信端末、
３０５  無線アンテナ、
３３０  記憶部、
３４０  無線通信インターフェース部、
３５０  端末（子機）側無線通信部、
３６０  メニュー／入出力表示部、
３７０  選択／応答入力部、
３７２  メニュー入力部、
３７４  アップ入力部、
３７６  ダウン入力部、
３８０  人体表面刺激部、
３８５  音響出力部、
３９０  制御部
４００  情報処理装置、
４０１  ＣＰＵ（セントラル・プロセシング・ユニット）、
４０２  ＲＯＭ（リード・オンリー・メモリ）、
４０３  ＲＡＭ（ランダム・アクセス・メモリ）、
４０４  通信インターフェース（Ｉ／Ｆ）、
４０５  ハードディスク（ＨＤ）／半導体メモリドライブ（ＳＳＤ）、
４０６  外部装置接続部、
４０７  ＤＶＤ／ＣＤ−ＲＯＭドライブ、
４０８  入出力（Ｉ／Ｏ）チップ、
４０９  グラフィックコントローラ、
４１０  表示装置（ディスプレイ等）、
４１１  主コントローラ、
４１２  入出力（Ｉ／Ｏ）コントローラ、
４１３  ユーザーインターフェース（Ｉ／Ｆ）、
４１４  入出力装置（キーボード、タッチパネル等）、
４５０  記憶手段（外付けハードディスク、メモリーカード、メモリースティック等）
４６０  デジタルヴァーサタイルディスク（ＤＶＤ）／コンパクトディスク（ＣＤ）。
【図１】
2017216588.tif 000003
【図２】
2017216588.tif 000004
【図３】
2017216588.tif 000005
【図４】
2017216588.tif 000006
【図５】
2017216588.tif 000007